(57)【要約】【課題】光ディスクドライブによる光ディスクの読み書きが，スピーカーからの大音量出力によって不能となることを阻止することのできる光ディスクドライブ内蔵型のテレビジョン受像機を提供すること。【解決手段】本発明に係るテレビジョン受像機では，レーザ光によって光ディスクの読み取りや書き込みを行う光ディスクドライブの振動量を検出し（Ｓ１），その検出された振動量が予め設定された上限振動量以上に達したとき（Ｓ２），即ち，光ディスクドライブにおいて光ディスクの読み書きができなくなるおそれがある場合，音声を再生するスピーカーの出力音量が予め設定された上限音量以上に達していることを条件に（Ｓ３），スピーカーによる出力音量を下げるように処理される（Ｓ５）。【選択図】図２
2010055694.tif 000002
【特許請求の範囲】
【請求項１】
映像を表示する映像表示部と，音声を再生するスピーカーと，レーザ光によって光ディスクの読み取り及び／又は書き込みを行う光ディスクドライブとを備えてなる光ディスクドライブ内蔵型のテレビジョン受像機であって，
前記光ディスクドライブの振動量を検出する振動量検出手段と，
前記振動量検出手段によって検出された振動量が予め設定された上限振動量以上に達したとき，前記スピーカーの出力音量が予め設定された上限音量以上に達していることを条件に，前記スピーカーによる出力音量を下げる音量抑制手段と，
を備えてなることを特徴とするテレビジョン受像機。
【請求項２】
前記音量抑制手段によって前記スピーカーの出力音量が下げられる場合にその旨を表示する音量抑制表示手段を更に備えてなる請求項１に記載のテレビジョン受像機。
【請求項３】
前記レーザ光のスポット位置のズレ量を検出するトラッキングエラー検出手段，及び／又は前記レーザ光の焦点のズレ量を検出するフォーカスエラー検出手段を更に備えてなり，
前記振動量検出手段が，前記トラッキングエラー検出手段及び／又は前記フォーカスエラー検出手段によって検出されたズレ量に応じて前記光ディスクドライブの振動量を判断するものである請求項１又は２のいずれかに記載のテレビジョン受像機。
【請求項４】
前記振動量検出手段により検出された振動量の変動と前記スピーカーによる出力音量の変動との相関関係の有無を検出する相関関係検出手段を更に備えてなり，
前記音量抑制手段が，前記振動量検出手段によって検出された振動量が予め設定された上限振動量以上に達したとき，前記スピーカーの出力音量が予め設定された上限音量以上に達しており，且つ前記相関関係検出手段により前記相関関係があると判断されていることを条件に，前記スピーカーによる出力音量を下げるものである請求項１〜３のいずれかに記載のテレビジョン受像機。
【発明の詳細な説明】
【技術分野】
【０００１】
本発明は，レーザ光によって光ディスクの読み書きを行う光ディスクドライブを内蔵する光ディスクドライブ内蔵型のテレビジョン受像機に関するものである。
【背景技術】
【０００２】
一般に，テレビジョン受像機は，録画・再生装置等の周辺機器と接続されたＡＶシステムの主要装置として利用されることが多い。また，昨今，液晶テレビジョン受像機に代表される薄型のテレビジョン装置は，光ディスクドライブが内蔵され，光ディスクに放送番組等のコンテンツを録画する録画機能及び録画データに基づく再生機能を備えるものがある。これにより，録画・再生機能を有するＡＶシステム全体の省スペース化が実現される。なお，光ディスクドライブには，ＤＶＤ（Digital Video Disc）ドライブやブルーレイディスクドライブ等がある。
光ディスクドライブは，レーザ光を光ディスクに照射することにより，光ディスクからデータを読み取り，また光ディスクにデータを書き込むピックアップが設けられている。このとき，ピックアップからのレーザ光のスポット位置や焦点がずれると正常にデータの読み書きを行うことができなくなる。
そのため，従来から光ディスクドライブには，ピックアップから照射されたレーザ光のスポット位置や焦点のズレを調整するために，トラッキングサーボやフォーカスサーボと称されるアクチュエータが設けられる。ここに，トラッキングサーボは，レーザ光のスポット位置のズレ量を検出してピックアップによるレーザ光の照射位置を調整するものであって，フォーカスサーボは，レーザ光の焦点のズレ量を検出してピックアップと光ディスクとの離間距離を調整するものである。これにより，光ディスクドライブでは，多少の振動や光ディスクの反りなどによるレーザ光のズレは許容される。但し，そのズレ量がトラッキングサーボやフォーカスサーボによって調整可能な範囲を超えると，光ディスクの読み書きを正常に行うことができない所謂サーボエラーが発生する。
一方，特許文献１には，車載用の光ディスクドライブにおいて，トラッキングサーボやフォーカスサーボなどにより検出されたズレ量（以下「サーボエラー値」という）に基づいて騒音を検出することが開示されている。また，この特許文献１には，騒音が大きいときに再生音量を増強するように補正することでＨｉ−Ｆｉを保持することについての記載もなされている。
【特許文献１】特開平８−３０６１２１号公報
【発明の開示】
【発明が解決しようとする課題】
【０００３】
ところで，テレビジョン受像機では，スピーカーからの音声出力によって振動が生じ，その振動量は，スピーカーからの出力音量が大きいほど大きくなる。特に，振動が伝達されやすい薄型で軽量な液晶テレビジョン受像機では，スピーカーからの音声出力によって生じる振動が大きくなる。また，スピーカーからの音声出力によってテレビジョン受像機に生じる振動量は，テレビジョン受像機の個体差（共振周波数の違い）や設置環境によっても異なる。例えば，テレビジョン受像機が配置される床面の状態（材質や硬度など）や，テレビジョン受像機が掛けられる壁面の状態，或いはテレビジョン受像機の近傍に存在する障害物からの音声振動の反射など，各種の要因によってテレビジョン受像機に生じる振動量は変化する。
そのため，テレビジョン受像機においてスピーカーから大音量出力が行われるとき，その状況によっては，テレビジョン受像機に内蔵された光ディスクドライブに大きな振動が生じてサーボエラーが発生するおそれがある。
従って，本発明は上記事情に鑑みてなされたものであり，その目的とするところは，光ディスクドライブによる光ディスクの読み書きが，スピーカーからの大音量出力によって不能となることを阻止することのできる光ディスクドライブ内蔵型のテレビジョン受像機を提供することにある。
【課題を解決するための手段】
【０００４】
上記目的を達成するために本発明は，映像を表示する映像表示部と，音声を再生するスピーカーと，レーザ光によって光ディスクの読み取り及び／又は書き込みを行う光ディスクドライブとを備えてなる光ディスクドライブ内蔵型のテレビジョン受像機に適用されるものであって，前記光ディスクドライブの振動量を検出し，その検出された振動量が予め設定された上限振動量以上に達したとき，前記スピーカーの出力音量が予め設定された上限音量以上に達していることを条件に，前記スピーカーによる出力音量を下げることを特徴とするテレビジョン受像機として構成される。
本発明によれば，スピーカーからの大音量出力に起因して光ディスクドライブに生じる振動量が大きくなり，光ディスクの読み書きが不能となるサーボエラーが発生するおそれがある場合，そのスピーカーからの出力音量が自動的に下げられることでサーボエラーの発生が阻止され，光ディスクの読み書きを継続して行うことができる。
このとき，前記スピーカーの出力音量が自動的に下げられる場合には，その旨を表示することが望ましい。これにより，光ディスクの読み書きを継続するために出力音量が抑制されることを視聴者に対して報知することができ，視聴者が誤って故障と判断することを防止することができる。
【０００５】
具体的に，本発明に係るテレビジョン受像機が，前記レーザ光のスポット位置のズレ量を検出するトラッキングエラー検出手段や，前記レーザ光の焦点のズレ量を検出するフォーカスエラー検出手段を備える構成であれば，そのトラッキングエラー検出手段やフォーカスエラー検出手段によって検出されたズレ量に応じて前記光ディスクドライブの振動量を判断することが可能である。
ところで，本発明に係るテレビジョン受像機において前記光ディスクドライブに作用する振動の原因は，前記スピーカーからの大音量出力に限られない。前記スピーカーからの大音量出力が原因でなければ，その音量を下げても光ディスクドライブの振動量を抑えることができない。
そこで，検出された前記光ディスクドライブの振動量の変動と前記スピーカーによる出力音量の変動との相関関係の有無を検出し，その検出された振動量が予め設定された上限振動量以上に達したとき，前記スピーカーの出力音量が予め設定された上限音量以上に達しており，且つ前記相関関係検出手段により前記相関関係があると判断されていることを条件に，前記スピーカーによる出力音量を下げることが望ましい。
これにより，前記スピーカーの出力音量を下げることで前記光ディスクドライブに生じる振動量を抑えることができる場合にのみ，該スピーカーからの出力音量を下げることができ，不要に音量を下げることを防止することができる。
【発明の効果】
【０００６】
本発明によれば，スピーカーからの大音量出力に起因して光ディスクドライブに生じる振動量が大きくなり，光ディスクの読み書きが不能となるサーボエラーが発生するおそれがある場合，そのスピーカーからの出力音量が自動的に下げられることでサーボエラーの発生が阻止され，光ディスクの読み書きを継続して行うことができる。
特に，前記スピーカーの出力音量が自動的に下げられる場合には，その旨を表示することが望ましい。これにより，光ディスクの読み書きを継続するために出力音量が抑制されることを視聴者に対して報知することができ，視聴者が誤って故障と判断することを防止することができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ｘの概略構成を表すブロック図，図２は本発明の実施の形態に係るテレビジョン受像機Ｘにおける音量自動抑制処理の処理手順の一例を説明するためのフローチャート，図３はサーボエラー値Ｋ１及び出力音量ピーク値Ｌ１の一例を示す図である。
【０００８】
まず，図１に示されるブロック図を参照しつつ，本発明の実施形態に係るテレビジョン受像機Ｘの構成について説明する。
図１に示すように，テレビジョン受像機Ｘは，複数のチューナ１，外部信号入力部２，復調・分離回路３，映像復号回路１１，映像選択回路１２，映像処理回路１３，液晶ドライバ１４，液晶表示パネル１５（映像表示部の一例），調光回路１６，バックライト１７，音声復号回路２１，音声選択回路２２，音声処理回路２３，アンプ２４，スピーカー２５，制御回路４，リモコン受光部６，リモコン７，録画・再生回路８及び光ディスクドライブ９等を備えている。
当該テレビジョン受像機Ｘは，その筐体内部に前記光ディスクドライブ９を内蔵しており，該光ディスクドライブ９にセットされた光ディスク（ＤＶＤやブルーレイディスクなど）から読み出された映像データ及び音声データに基づいて，液晶表示パネル１５及びスピーカー２５を通じて映像及び音声を出力する光ディスクドライブ内蔵型のテレビジョン受像機である。
なお，本実施の形態では，テレビジョン受像機Ｘを例に挙げて説明するが，本発明は，少なくともスピーカーと光ディスクドライブとを内蔵するその他の機器についても同様に適用可能である。例えば，ＣＤコンポやホームシアターシステムなどの音響機器に適用することが可能である。
【０００９】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。また，前記外部信号入力部２は，外部装置から映像信号及び音声信号を入力する信号入力インターフェースである。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１０】
また，前記映像復号回路１１は，前記復調・分離回路３から伝送される映像信号を復号し，復号した映像信号を前記映像選択回路１２に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。この映像選択回路１２に入力される信号には，前記映像復号回路１１を通じて入力される放送番組のコンテンツの映像信号と，前記外部信号入力部２を通じて入力される外部入力コンテンツの映像信号と，前記録画・再生回路８を通じて入力される再生コンテンツの映像信号とが含まれる。
【００１１】
また，前記映像処理回路１３は，前記制御回路４からの制御指令に従って，コンテンツの画像を前記液晶表示パネル１５に表示させるために前記液晶ドライバ１４に供給するフレーム画像信号を生成する。
例えば，前記映像処理回路１３は，前記制御回路４からの制御指令に従って，１つ又は複数のコンテンツの画像が全表示領域の中でレイアウトされた表示用のフレーム画像信号を生成する。即ち，前記映像選択回路１２は，１つのコンテンツの画像が全表示領域に渡って，或いは一部の表示領域のみに表示されるフレーム画像信号や，複数のコンテンツの画像が並べて配列されて表示されるフレーム画像信号等を生成する。
【００１２】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
また，前記液晶表示パネル１５は，前記液晶ドライバ１４による制御に応じて，前記フレーム画像信号に対応する映像を表示する映像表示手段の一例である。
また，前記バックライト１７は，前記液晶表示パネル１５の背面側に配列された複数の光源の光により，前記液晶表示パネル１５の表示領域を背面側から照明するものである。
また，前記調光回路１６は，前記制御回路４からの制御指令に従って，前記バックライト１７の光源に対する供給電力を調節することにより，前記バックライト１７の発光の明るさを調節する回路である。
【００１３】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号と，前記録画・再生回路８を通じて入力される再生コンテンツの音声信号とが含まれる。
前記音声処理回路２３は，前記制御回路４からの指示に従って，前記音声選択回路２２により選択された音声信号に対して各種信号処理を行うものである。例えば，前記スピーカー２５の特性に合わせたイコライズ処理や，サラウンド処理等を行う。
前記アンプ２４は，前記音声処理回路２３による処理後の音声信号を，前記制御回路４からの指示に従って増幅或いは減衰させる音量調節処理を行い，前記スピーカー２５に出力するものである。前記スピーカー２５は，前記アンプ２４から入力された音声信号に基づいて音声を再生する。
また，前記アンプ２４には，前記スピーカー２５からの出力音量の変動のピーク値（出力音量ピーク値）を検出するピーク検出回路が設けられており，該ピーク検出回路によって検出された出力音量ピーク値は前記制御回路４に入力される。当該出力音量ピーク値は，前記制御回路４によって実行される後述の音量自動抑制処理（図３参照）において判断指標に用いられる。
【００１４】
前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該テレビジョン受像機Ｘ全体を制御する。
前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
なお，以降の説明において，前記制御回路４が実行する処理は，前記ＭＰＵ４ａが前記ＲＯＭ４ｂに記憶された制御プログラムを実行することによって実現される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
【００１５】
また，前記制御回路４は，前記復調・分離回路３により抽出されたＳＩに基づいて，現在放送中のコンテンツ（番組）及びこれから放送予定のコンテンツの内容に関する情報であるＥＰＧ情報（電子番組ガイド情報）を取得する。そのＥＰＧ情報は，前記ＥＥＰＲＯＭ４ｃに記録される。
前記ＥＰＧ情報には，放送番組のコンテンツのタイトル（番組名），放送媒体の種類（地上波，ＢＳ，ＣＳ等）及び放送チャンネル，放送開始日時及び放送終了日時，コンテンツのジャンル（ニュース，ワイドショー等），出演者等の情報が含まれている。
そして，前記録画・再生回路８は，放送番組のコンテンツの録画処理の際に，録画対象のコンテンツに関する前記ＥＰＧ情報（タイトル，ジャンル等）を，前記制御回路４から取得して録画データ（コンテンツのデータ）とともに前記光ディスクに記録する。
また，前記録画・再生回路８は，コンテンツの再生処理の際に，再生対象の録画データ（コンテンツのデータ）とともに前記光ディスクに記録されている前記ＥＰＧ情報を読み出し，これを前記制御回路４に伝送する。
【００１６】
一方，前記光ディスクドライブ９は，ＤＶＤ又はブルーレイディスク等の光ディスクが着脱可能であって，その光ディスクの読み取りや書き込みをレーザ光によって行う装置である。これに対し，前記録画・再生回路８は，前記光ディスクドライブ９による光ディスクへのコンテンツ録画処理や，光ディスクからのコンテンツ再生処理などを実行する。例えば録画対称となるコンテンツは，前記チューナ１により得られる放送番組のコンテンツ，又は前記外部信号入力部２を通じて入力されるコンテンツである。
前記テレビジョン受像機Ｘでは，前記光ディスクドライブ９は，例えば前記液晶表示パネル１５と略平行となるように，即ち鉛直方向に立てられた状態で筐体に内蔵されている。これにより，前記テレビジョン受像機Ｘの薄型化は阻害されない。
【００１７】
前記光ディスクドライブ９には，光ディスクに対するレーザ光の照射及び光ディスクから反射されるレーザ光の受光を行うピックアップ９１と，ピックアップ９１から照射されるレーザ光のスポット位置のズレ量及び焦点のズレ量を検出するサーボエラー検出回路９２と，ピックアップ９１の光ディスクに平行な方向の位置を調整するためのトラッキングサーボ９３と，ピックアップ９１と光ディスクとの離間距離を調整するためのフォーカスサーボ９４と，当該光ディスクドライブ９を制御するマイコン９５とが設けられている。前記光ディスクドライブ９は，セットされた光ディスクを予め設定された速度でモータによって回転させつつ，該光ディスクにレーザ光を照射することにより，該光ディスクの読み書きを行う。
前記サーボエラー検出回路９２は，レーザ光のスポット位置のズレ量を検出し，そのズレ量の変動のピーク値をトラッキングサーボエラー値としてマイコン９５に入力する。
また同様に，前記サーボエラー検出回路９２は，レーザ光の焦点のズレ量を検出し，そのズレ量の変動のピーク値をフォーカスサーボエラー値としてマイコン９５に入力する。ここに，係る検出処理を実行する前記サーボエラー検出回路が，トラッキングエラー検出手段及びフォーカスエラー検出手段に相当する。また，前記サーボエラー検出回路９２は，トラッキングサーボエラー値及びフォーカスサーボエラー値のいずれか一方を検出するものであってもよい。なお，サーボエラー検出回路９２によるトラッキングサーボエラー値及びフォーカスエラー値の検出手法については従来周知の手法を用いればよいため，ここでは説明を省略する。
そして，前記マイコン９５は，前記サーボエラー検出回路９２から入力されたトラッキングサーボエラー値及びフォーカスサーボエラー値に基づいて前記トラッキングサーボ９３及び前記フォーカスサーボ９４各々を制御して前記ピックアップ９１の位置を調整することにより，レーザ光のズレを修正する。
【００１８】
また，前記マイコン９５は，前記サーボエラー検出回路９２から入力されたトラッキングサーボエラー値及びフォーカスサーボエラー値を合計し，その合計値をサーボエラー値として前記制御回路４に入力する。このサーボエラー値は，前記光ディスクドライブ９に生じている振動量の大きさを判断するためのものであって，該サーボエラー値が高いほど振動量が大きく，光ディスクの読み書きができない所謂サーボエラーが発生する可能性が高いことを示している。なお，本実施の形態では，トラッキングサーボエラー値及びフォーカスサーボエラー値を合計したものをサーボエラー値とするが，トラッキングサーボエラー値及びフォーカスサーボエラー値をそれぞれ個別にサーボエラー値として前記制御回路４に入力してもよい。
前記テレビジョン受像機Ｘでは，前記光ディスクドライブ９に生じる振動が大きくなり，レーザ光のズレ量が前記トラッキングサーボ９３，前記フォーカスサーボ９４によって調整可能な範囲を超えるとサーボエラーが発生し，光ディスクの読み書きを継続することができなくなる。この光ディスクドライブ９の振動は，前記テレビジョン受像機Ｘにおける前記スピーカー２５からの音声出力に起因して生じることがある。
そこで，本発明の実施の形態に係る前記テレビジョン受像機Ｘでは，前記制御回路４によって後述の音量自動抑制処理（図２のフローチャート参照）が実行されることにより，前記光ディスクドライブ９におけるサーボエラーの発生を防止するべく，前記スピーカー２５からの音声出力に起因する前記光ディスクドライブ９の振動が抑制される。
【００１９】
以下，図２のフローチャートに従って，前記テレビジョン受像機Ｘにおいて前記制御回路４によって実行される音量自動抑制処理の手順の一例について説明する。なお，以下に示されるＳ１，Ｓ２，…は，処理手順（ステップ）の識別符号を表す。
前記制御回路４は，前記光ディスクドライブ９による光ディスクの読み書きと，前記スピーカー２５からの音声出力とが同時に行われていると判断した場合に，それらの処理と略並行して当該音量自動抑制処理を実行する。即ち，前記スピーカー２５から音声出力がなされていない場合には，当該音量自動抑制処理は実行されない。例えば，前記光ディスクドライブ９にセットされた光ディスクに記憶された映像を視聴する場合や，他の番組を視聴しながら光ディスクに映像を記憶する場合などに実行される。
また，ここでは前記制御回路４が，前記光ディスクドライブ９のマイコン９５から入力されるサーボエラー値を用いて制御を行う場合を例に挙げて説明するが，例えば前述したようにトラッキングエラー値及びフォーカスエラー値各々がサーボエラー値として前記制御回路４に入力される場合には，該制御回路４が，各々のサーボエラー値について当該音量自動抑制処理を実行することも考えられる。
【００２０】
（ステップＳ１）
まず，ステップＳ１では，前記制御回路４は，サーボエラー値及び出力音量ピーク値を取得する。具体的に，前記制御回路４は，前記光ディスクドライブ９のマイコン９５から前記サーボエラー値を受信し，前記アンプ２４から出力音量ピーク値を受信する。なお，前記出力音量ピーク値は，前記アンプ２４から受信せずに，前記制御回路４が前記音声処理回路２３から入力される音声信号や前記アンプ２４に設定されるゲイン等に基づいて算出するものであってもよい。
以下，ここで取得されたサーボエラー値をＫ１，出力音量ピーク値をＬ１という。ここに，図３（ａ）はサーボエラー値Ｋ１，図３（ｂ）は出力音量ピーク値Ｌ１の一例を示している。また，図３（ａ）に示すＫ２は後述のステップＳ２における判断指標となる閾値であって，図３（ｂ）に示すＬ２は後述のステップＳ３における判断指標となる閾値である。
前記サーボエラー値Ｋ１は，前記光ディスクドライブ９に生じる振動によって変動する。従って，前記制御回路４は，前記サーボエラー値Ｋ１に基づいて，前記光ディスクドライブ９における振動量を検出することができ，係る検出処理を実行するときの前記制御回路４が振動量検出手段に相当する。なお，もちろん前記光ディスクドライブ９における振動量を検出するためのセンサ（振動量検出手段の一例）を設けておき，該センサによって検出された振動量が前記制御回路４に入力される構成も他の実施例として考えられる。
ここでは，説明の便宜上，前記サーボエラー値Ｋ１をそのまま前記光ディスクドライブ９の振動量として捉えるものとする。もちろん，予め設定された関係に従って前記サーボエラー値Ｋ１をその値に対応する振動量に変換して制御を行ってもよい。
【００２１】
（ステップＳ２）
次に，ステップＳ２では，前記制御回路４は，前記サーボエラー値Ｋ１が，予め設定された閾値Ｋ２以上に達しているか否かを判断する。
ここに，前記閾値Ｋ２は，前記光ディスクドライブ９においてサーボエラーが発生するおそれがあると判断するための上限振動量に対応する値であって，予め行われる実験やシミュレーションなどに基づいて定められ，前記制御回路４のＲＯＭ４ｂなどに記憶されたものである。例えば，前記閾値Ｋ２は，前記光ディスクドライブ９においてサーボエラーが発生するときの振動量に対応する異常サーボエラー値の９０％などに設定される。
即ち，当該ステップＳ２では，前記制御回路４は，前記サーボエラー値Ｋ１に基づいて，前記光ディスクドライブ９においてサーボエラーが発生するおそれがあるか否かを判断している。なお，ここでは，前記サーボエラー値Ｋ１が前記閾値Ｋ２以上であるか否かを判断する場合を例に挙げて説明するが，これに限られず，例えば前記サーボエラー値Ｋ１と前記異常サーボエラー値との差や，前記サーボエラー値Ｋ１と前記異常サーボエラー値との比に基づいて判断することも他の実施例として考えられる。
ここで，前記サーボエラー値Ｋ１が前記閾値Ｋ２以上に達していない間は（Ｓ２のＮｏ側），サーボエラーが発生するおそれがないと判断され，処理は前記ステップＳ１に戻される。一方，前記サーボエラー値Ｋ１が前記閾値Ｋ２以上に達していると判断されると（Ｓ２のＹｅｓ側），サーボエラーが発生するおそれがあるとして，処理はステップＳ３に移行する。
なお，前記サーボエラー値Ｋ１が瞬時的に前記閾値Ｋ２以上に達した場合を除外するため，前記サーボエラー値Ｋ１が前記閾値Ｋ２以上である状態が所定時間継続した場合に，サーボエラーが発生するおそれがあると判断してもよい。
【００２２】
（ステップＳ３）
そして，ステップＳ３では，前記制御回路４は，前記出力音量ピーク値Ｌ１が，予め設定された閾値Ｌ２以上に達しているか否かを判断する。
ここに，前記閾値Ｌ２は，前記光ディスクドライブ９に生じている振動の原因に前記スピーカー２５からの音声出力が含まれている可能性を判断するための上限音量の一例であって，予め行われる実験やシミュレーションなどに基づいて定められ，前記制御回路４のＲＯＭ４ｂなどに記憶されたものである。例えば，前記閾値Ｌ２は，当該テレビジョン受像機Ｘにおいて設定可能な最大音量の９０％などに設定される。
即ち，当該ステップＳ３では，前記制御回路４は，前記出力音量ピーク値Ｌ１に基づいて，前記サーボエラー値Ｋ１が前記閾値Ｋ２以上に達している原因が前記スピーカー２５からの音声出力にある可能性を判断している。なお，ここでは，前記出力音量ピーク値Ｌ１が前記閾値Ｌ２以上であるか否かを判断する場合を例に挙げて説明するが，これに限られず，例えば前記出力音量ピーク値Ｌ１と前記最大音量との差や，前記出力音量ピーク値Ｌ１と前記最大音量との比に基づいて判断することも他の実施例として考えられる。
ここで，前記出力音量ピーク値Ｌ１が前記閾値Ｌ２以上に達していないと判断された場合には（Ｓ３のＮｏ側），前記スピーカー２５からの音声出力がサーボエラーの原因ではないと判断され，処理は前記ステップＳ１に戻される。一方，前記出力音量ピーク値Ｌ１が前記閾値Ｌ２以上に達していると判断されると（Ｓ３のＹｅｓ側），前記スピーカー２５からの音声出力がサーボエラーの原因であるおそれがあるため，処理はステップＳ４に移行される。
【００２３】
（ステップＳ４）
続くステップＳ４では，前記制御回路４は，前記スピーカー２５から出力される出力音量が大きすぎて前記光ディスクドライブ９においてサーボエラーが発生するおそれがあるため，該スピーカー２５から出力される出力音量を自動的に下げる旨を，前記液晶表示パネル１５に表示させて視聴者に警告するための処理を実行する。ここに，係る表示処理を実行するときの前記制御回路４が音量抑制表示手段に相当する。
具体的には，前記制御回路４は，前記映像処理回路１３に対して当該表示を行うための映像信号を送信することによりその旨を前記液晶表示パネル１５に表示させる。例えば，「出力音量が大きいことにより光ディスクドライブでエラーが発生するおそれがあるため，自動的に音量を下げます」と表示される。
これにより，後述のステップＳ５において自動的に出力音量が下げられても，視聴者が誤って故障と認識することを防止することができる。なお，当該表示処理は，後述のステップＳ５の後，即ち出力音量を下げた後に実行されるものであってもよい。
【００２４】
（ステップＳ５）
そして，前記制御回４は，前記スピーカー２５からの出力音量を下げるための処理を実行する。
具体的に，前記制御回路４は，通常は視聴者による前記リモコン７などの操作によって設定される所謂ボリュームを強制的に下げることにより，前記アンプ２４に対して指示するゲイン（増幅率）を下げる。例えば，前記制御回路４は，出力音量を予め定められた所定幅だけ下げる。また，前記出力音量ピーク値Ｌ１が前記閾値Ｌ２未満になるようにフィードバック制御を行いながら下げることも考えられる。さらに，出力音量を突然大きく下げると視聴者に大きな違和感を与えるため，徐々に出力音量を下げてもよい。
このように，前記テレビジョン受像機Ｘでは，本実施例に係る前記テレビジョン受像機Ｘでは，前記サーボエラー値Ｋ１が前記閾値Ｋ２以上に達したとき，前記スピーカー２５の出力音量ピーク値Ｌ１が前記閾値Ｌ２以上に達していることを条件に，前記スピーカー２５による出力音量が下げられる。ここに，係る処理を実行するときの前記制御回路４が音量抑制手段に相当する。即ち，前記光ディスクドライブ９においてサーボエラーが発生して光ディスクの読み書きが妨げられる要因が前記スピーカー２５からの大音量出力にある場合には，そのスピーカー２５からの出力音量が自動的に抑制されることによって前記光ディスクドライブ９に生じる振動量が抑制され，前記光ディスクドライブ９におけるサーボエラーの発生が防止される。これにより，前記光ディスクドライブ９における光ディスクへの読み書きを継続して行うことができる。
【実施例】
【００２５】
以下，前記実施の形態で説明したテレビジョン受像機Ｘにおいて実行される音量自動抑制処理の他の例について説明する。ここに，図４は音量自動抑制処理の他の例を説明するためのフローチャート，図５はサーボエラー値Ｋ１及び出力音量ピーク値Ｌ１のサンプリング結果を示す図である。
前記実施の形態では，図２に示したように，前記光ディスクドライブ９においてサーボエラーが発生するおそれがある場合（Ｓ２のＹｅｓ側），前記出力音量ピーク値Ｌ１が前記閾値Ｌ２以上に達していることを条件に（Ｓ３のＹｅｓ側），前記スピーカー２５から出力される出力音量を自動的に下げる（Ｓ５）場合を例に挙げて説明した。このとき，前記サーボエラーの発生原因が前記スピーカー２５からの音声出力にある場合にはそのサーボエラーの発生を阻止することができるが，該サーボエラーの発生原因が前記スピーカー２５からの音声出力ではない場合には，該スピーカー２５からの出力音量を下げてもサーボエラーを阻止することはできない。即ち，前記スピーカー２５からの出力音量を自動的に下げることは，視聴者の望む視聴環境を無駄に変更することになる。
そこで，本実施例では，前記テレビジョン受像機Ｘにおいて，前記光ディスクドライブ９におけるサーボエラーの発生原因が，前記スピーカー２５からの出力音量である可能性について判断するための手法について説明する。
具体的に，前記制御回路４は，前記サーボエラー値Ｋ１と前記出力音量ピーク値Ｌ１との間に相関関係があるか否かを検出することで，前記光ディスクドライブ９におけるサーボエラーの発生原因が，前記スピーカー２５からの出力音量である可能性を判断し，前記スピーカー２５からの出力音量を下げるか否かを判断する。係る相関関係の有無を検出するための処理を実行するときの前記制御回路４が相関関係検出手段に相当する。
【００２６】
以下，図４のフローチャートに従って，本実施例に係るテレビジョン受像機Ｘで実行される音量自動抑制処理について説明する。なお，前記実施の形態で説明した処理手順（図２参照）と同様の処理手順（Ｓ１〜Ｓ５）については同じ符号を付してその説明を省略する。
図４に示すように，当該音量自動抑制処理では，前記ステップＳ３で，サーボエラーの発生原因が前記スピーカー２５からの出力音量にあるおそれがあると判断された場合（Ｓ３のＹｅｓ側），前記制御回路４は，前記サーボエラー値Ｋ１と前記出力音量ピーク値Ｌ１との相関関係の有無を検出するための処理を実行する（Ｓ１１）。以下，当該ステップＳ１１で実行される相関関係の有無の検出手法の一例について説明する。
【００２７】
まず，前記制御回路４は，前記サーボエラー値Ｋ１及び前記出力音量ピーク値Ｌ１を，予め定められた周波数でサンプリングすることにより，該サーボエラー値Ｋ１及び出力音量ピーク値Ｌ１の変位を検出する。例えば，１ＫＨｚの周波数でサンプリングすること，即ち０．１秒間に１００回のサンプリングを行うことが考えられる。そして，係る検出結果は，前記制御回路４のＥＥＰＲＯＭ４ｃなどに記憶される。このとき，前記サーボエラー値Ｋ１と前記出力音量ピーク値Ｌ１とは時系列で関連づけられた状態で記憶される。
ここに，図５（ａ），（ｂ）各々は，前記サーボエラー値Ｋ１及び前記出力音量ピーク値Ｌ１のサンプリングの結果を示す図であって，（ａ）は相関関係有りの場合，（ｂ）は相関関係無しの場合を示している。
【００２８】
そして，前記制御回路４は，サンプリング結果（図５参照）に基づいて，前記出力音量ピーク値Ｌ１が前記閾値Ｌ２以上に達している大音量期間Ｔ１（図５参照）を検出する。
次に，前記制御回路４は，前記サーボエラー値Ｋ１が前記閾値Ｋ２以上に達している期間（以下「エラー期間」という）が概ね前記大音量期間Ｔ１内に存在するか否かを判断する。例えば，前記エラー期間が前記大音量期間Ｔ１に９０％以上含まれているか否かを判断する。もちろん，前記エラー期間の全てが前記大音量期間Ｔ１に含まれているか否かを判断してもよい。
ここで，図５（ａ）に示すように，前記エラー期間が前記大音量期間Ｔ１に含まれており，前記大音量期間Ｔ１の時間外に前記エラー期間が存在しない場合には，前記制御回路４は，前記サーボエラー値Ｋ１と前記出力音量ピーク値Ｌ１との間に相関関係があると判断する。
一方，図５（ｂ）に示すように，前記エラー期間が前記大音量期間Ｔ１に関係なく発生している場合には，前記サーボエラー値Ｋ１と前記出力音量ピーク値Ｌ１との間に相関関係がないと判断する。
なお，ここで説明した相関関係の有無の検出手法は単なる一例に過ぎず，例えば，図５に示す前記サーボエラー値Ｋ１及び前記出力音量ピーク値Ｌ１各々の波形を比較する画像処理などによって相関関係の有無を検出してもよい。また，前記サーボエラー値Ｋ１及び前記出力音量ピーク値Ｌ１各々の傾きの変化を検出して比較することにより相関関係の有無を検出することも考えられる。
【００２９】
このようにして前記サーボエラー値Ｋ１と前期出力音量ピーク値Ｌ１との相関関係の有無が検出されると，次に，前記制御回路４は，その相関関係の有無に応じて処理を分岐する（Ｓ１２）。
具体的に，前記サーボエラー値Ｋ１と前記出力音量ピーク値Ｌ１との間に相関関係があると判断した場合（Ｓ１２のＹｅｓ側），前記制御回路４は，処理を前記ステップＳ４に移行させ，自動的に出力音量を下げる旨の表示を行った後，前記スピーカー２５からの出力音量を下げる（Ｓ５）。
一方，前記サーボエラー値Ｋ１と前記出力音量ピーク値Ｌ１との間に相関関係がないと判断した場合には（Ｓ１２のＮｏ側），処理は前記ステップＳ１に戻される。
このように，本実施例に係る前記テレビジョン受像機Ｘでは，前記サーボエラー値Ｋ１が前記閾値Ｋ２以上に達したとき，前記スピーカー２５の出力音量ピーク値Ｌ１が前記閾値Ｌ２以上に達しており，且つ前記サーボエラー値Ｋ１と前記出力音量ピーク値Ｌ１との間に相関関係があることを条件に，前記スピーカー２５による出力音量が下げられる。即ち，前記スピーカー２５からの大音量出力が前記光ディスクドライブ９のサーボエラーの発生原因となる可能性が高い場合にのみ，前記スピーカー２５からの出力音量を自動的に下げられ，相関関係がない場合には前記スピーカー２５からの出力音量を下げるための処理は実行されない。
従って，前記出力音量を下げても前記光ディスクドライブ９における光ディスクの読み書きを継続することができないような場合に，不要に出力音量が下げられて視聴者の望む視聴環境が変更されることを防止することができる。
【産業上の利用可能性】
【００３０】
本発明は，テレビジョン受像機に利用可能である。
【図面の簡単な説明】
【００３１】
【図１】本発明の実施の形態に係るテレビジョン受像機Ｘの概略構成を表すブロック図。
【図２】本発明の実施の形態に係るテレビジョン受像機Ｘにおける音量自動抑制処理の処理手順の一例を説明するためのフローチャート。
【図３】サーボエラー値Ｋ１及び出力音量ピーク値Ｌ１の一例を示す図。
【図４】音量自動抑制処理の他の例を説明するためのフローチャート。
【図５】サーボエラー値Ｋ１及び出力音量ピーク値Ｌ１のサンプリング結果を示す図。
【符号の説明】
【００３２】
Ｘ    ：テレビジョン受像機
１    ：チューナ
２    ：外部信号入力部
３    ：復調・分離回路
４    ：制御回路
６    ：リモコン受光部
７    ：リモコン
８    ：録画・再生回路
９    ：光ディスクドライブ
９１  ：ピックアップ
９２  ：サーボエラー検出回路
９３  ：トラッキングサーボ
９４  ：フォーカスサーボ
９５  ：マイコン
１１  ：映像復号回路
１２  ：映像選択回路
１３  ：映像処理回路
１４  ：液晶ドライバ
１５  ：液晶表示パネル
１６  ：調光回路
１７  ：バックライト
２１  ：音声復号回路
２２  ：音声選択回路
２３  ：音声処理回路
２４  ：アンプ
２５  ：スピーカー
Ｓ１，Ｓ２，…：ステップ（処理手順）
【図１】
2010055694.tif 000003
【図２】
2010055694.tif 000004
【図３】
2010055694.tif 000005
【図４】
2010055694.tif 000006
【図５】
2010055694.tif 000007